【手続補正書】
【提出日】平成19年6月12日(2007.6.12)
【手続補正１】
【補正対象書類名】明細書
【補正対象項目名】特許請求の範囲
【補正方法】変更
【補正の内容】
【特許請求の範囲】
【請求項１】  目（Ｅ）の網膜（Ｒ）を照射する方法であって、
目（Ｅ）に関して当該光源（１０２）を位置決めする位置決め工程と；
上記光源（１０２）により網膜（Ｒ）を照射する照射工程と；
網膜（Ｒ）から反射された光（Ｌ３）を検出器（１１２）で受け取る工程と；
上記検出器（１１２）で目（Ｅ）の波先収差を検出する工程と；
を有する方法において、
上記光源（１０２）は、目（Ｅ）の角膜（Ｃ）から反射された当該光源（１０２）からの光（Ｌ２）が第１の経路に沿って進行するように及び網膜（Ｒ）から反射された該光源（１０２）からの光（Ｌ３）が上記第１の経路から空間的に離間した第２の経路に沿って進行するように、目（Ｅ）に関して位置決めされることを特徴とする方法。
【請求項２】  上記第２の経路に沿って進行する光（Ｌ３）を通過させ、上記第１の経路に沿って進行する光（Ｌ２）を遮断するために絞り（１０８）を設けたことを特徴とする請求項１に記載の方法。
【請求項３】  上記光源（１０２）をレーザーダイオードとしたことを特徴とする請求項１に記載の方法。
【請求項４】  上記光源（１０２）が光ビーム（Ｌ１）を発光し；
上記位置決め工程は、光ビーム（Ｌ１）が目（Ｅ）の光学軸（Ａ）から外れて目（Ｅ）に入射するように、上記光源（１０２）を位置決めする工程を有する；ことを特徴とする請求項１に記載の方法。
【請求項５】  上記光源（１０２）が、角膜（Ｃ）から反射された光（Ｌ２）と網膜（Ｒ）から反射された光（Ｌ３）との間の分離を許容するのに十分な大きさの距離だけ、上記光学軸（Ａ）から外れて位置することを特徴とする請求項４に記載の方法。
【請求項６】  上記検出器（１１２）をハルトマン・シャック検出器としたことを特徴とする請求項１に記載の方法。
【請求項７】  上記照射工程が非偏光ビームスプリッタ（１０４）で上記光源（１０２）から目（Ｅ）へ光（Ｌ１）を導く工程を有することを特徴とする請求項１に記載の方法。
【請求項８】  目（Ｅ）の網膜（Ｒ）を照射する方法であって、
目（Ｅ）に関して当該光源（１０２）を位置決めする位置決め工程と；
上記光源（１０２）により網膜（Ｒ）を照射する照射工程と；
を有する方法において、
上記光源（１０２）は、目（Ｅ）の角膜（Ｃ）から反射された当該光源（１０２）からの光（Ｌ２）が第１の経路に沿って進行するように及び網膜（Ｒ）から反射された該光源（１０２）からの光（Ｌ３）が上記第１の経路から空間的に離間した第２の経路に沿って進行するように、目（Ｅ）に関して位置決めされ、上記照射工程が非偏光立体ビームスプリッタで上記光源（１０２）から目（Ｅ）へ光（Ｌ１）を導く工程を有することを特徴とする方法。
【請求項９】  上記非偏光ビームスプリッタ（１０４）をプレートビームスプリッタとしたことを特徴とする請求項７に記載の方法。
【請求項１０】  目（Ｅ）の網膜（Ｒ）を照射する装置（１００）であって、
目（Ｅ）に関して位置決めされた光源（１０２）と；
目（Ｅ）の網膜（Ｒ）から反射された光（Ｌ３）を受け取る光学素子（１１２）と；
を有し、上記光学素子（１１２）が網膜（Ｒ）から反射された光（Ｌ３）を受け取るように位置決めされ、目（Ｅ）の波先収差を検出する検出器（１１２）からなる装置において、
上記光源（１０２）は、目（Ｅ）の角膜（Ｃ）から反射された上記光源（１０２）からの光（Ｌ２）が第１の経路に沿って進行するように及び網膜（Ｒ）から反射された当該光源（１０２）からの光（Ｌ３）が上記第１の経路から空間的に離間した第２の経路に沿って進行するように、目（Ｅ）に関して位置決めされることを特徴とする装置。
【請求項１１】  上記光学素子が上記第２の経路に沿って進行する光（Ｌ３）を通過させ、上記第１の経路に沿って進行する光（Ｌ２）を遮断する絞り（１０８）を有することを特徴とする請求項１０に記載の装置。
【請求項１２】  上記光源（１０２）をレーザーダイオードとしたことを特徴とする請求項１０に記載の装置。
【請求項１３】  上記光源（１０２）が光ビーム（Ｌ１）を発光し、かつ、光ビーム（Ｌ１）が目（Ｅ）の光学軸（Ａ）から外れて目（Ｅ）に入射するように位置決めされることを特徴とする請求項１０に記載の装置。
【請求項１４】  上記光源（１０２）が、角膜（Ｃ）から反射された光（Ｌ２）と網膜（Ｒ）から反射された光（Ｌ３）との間の分離を許容するのに十分な大きさの距離だけ、上記光学軸（Ａ）から外れて位置することを特徴とする請求項１３に記載の装置。
【請求項１５】  上記検出器（１１２）をハルトマン・シャック検出器としたことを特徴とする請求項１０に記載の装置。
【請求項１６】  上記光源（１０２）から目（Ｅ）へ光（Ｌ１）を導くための非偏光ビームスプリッタ（１０４）を更に有することを特徴とする請求項１０に記載の装置。
【請求項１７】  目（Ｅ）の網膜（Ｒ）を照射する装置（１００）であって、
目（Ｅ）に関して位置決めされた光源（１０２）と；
目（Ｅ）の網膜（Ｒ）から反射された光（Ｌ３）を受け取る光学素子（１１２）と；
上記光源（１０２）から目（Ｅ）へ光（Ｌ１）を導くための非偏光立体ビームスプリッタと；
を有する装置において、
上記光源（１０２）は、目（Ｅ）の角膜（Ｃ）から反射された当該光源（１０２）からの光（Ｌ２）が第１の経路に沿って進行するように及び網膜（Ｒ）から反射された該光源（１０２）からの光（Ｌ３）が上記第１の経路から空間的に離間した第２の経路に沿って進行するように、目（Ｅ）に関して位置決めされることを特徴とする装置。
【請求項１８】  上記非偏光（１０４）ビームスプリッタをプレートビームスプリッタとしたことを特徴とする請求項１７に記載の装置。
【請求項１９】  光学素子（Ｅ）の波先収差を決定する方法であって、
上記光学素子（Ｅ）に関して上記光源（１０２）を位置決めする工程と；
上記光源（１０２）により上記光学素子（Ｅ）を照射する工程と；
上記光学素子（Ｅ）を通って伝達され当該光学素子（Ｅ）を通って戻り反射された光（Ｌ３）を検出器（１１２）で受け取る工程と；
波先収差を上記検出器（１１２）で検出する工程と；
を有する方法において、
上記光源（１０２）は、上記光学素子（Ｅ）の表面（Ｃ）から反射された当該光源（１０２）からの光（Ｌ２）が第１の経路に沿って進行するように及び当該光学素子（Ｅ）を通って伝達され同光学素子（Ｅ）を通って戻り反射された該光源（１０２）からの光（Ｌ３）が上記第１の経路から空間的に離間した第２の経路に沿って進行するように、該光学素子（Ｅ）に関して位置決めされることを特徴とする方法。
【請求項２０】  光学素子（Ｅ）の波先収差を決定する装置（１００）であって、
上記光学素子（Ｅ）に関して位置決めされた光源（１０２）と；
上記光学素子（Ｅ）を通って伝達され同光学素子（Ｅ）を通って戻り反射された上記光源（１０２）からの光（Ｌ３）を受け取る検出器（１１２）と；
を有する装置において、
上記光源（１０２）は、上記光学素子（Ｅ）の表面（Ｃ）から反射された当該光源（１０２）からの光（Ｌ２）が第１の経路に沿って進行するように及び当該光学素子（Ｅ）を通って伝達され同光学素子（Ｅ）を通って戻り反射された当該光源（１０２）からの光（Ｌ３）が上記第１の経路から空間的に離間した第２の経路に沿って進行するように、該光学素子（Ｅ）に関して位置決めされることを特徴とする装置。